(57)【要約】【課題】画像読み取り装置において、樹脂製のレンズブロックに一体的にシェーディング補正用のマスクを備えたものがある。マスクは中心光束より周辺光束を多く取り入れるよう、主走査方向の端に行くほど大きな開口になるよう構成している。しかしながら、装置の小型化に伴って、取り付けようの基板とマスクが近接してきて、局部的に肉厚の小さい部分ができるようになった。その部分がウィークポイントとなって、装置からの機械的振動に共振しやすくなり、画質劣化の問題が生じていた。【解決手段】レンズブロック２０１に入射する中央部の光束１０３に対し、マスク部２０２の中央部分は上下の遮光部２０２ａが光束の上下部分を遮光し、端の方から入射する光束１０４、１０５に対し、マスク部２０２の端の部分は円弧状の接続部２０２ｂで構成され、光束がすべて入射し、しかも、取付部２０１ａとの間の肉厚も大きく取れている。【選択図】  図６
2005323053.tif 000002
【特許請求の範囲】
【請求項１】
原稿面を線状に照明する光源と、前記原稿面からの反射光を結像させるレンズと、該結像光を受けて電気信号に変換する受光素子と、前記反射光に対してシェーディング補正をする前記線状方向に長い光透過部を有するマスクと、樹脂成形により形成され前記レンズを固定するレンズブロックと、該レンズブロックを固定するレンズブロックステーとを有するスキャナ装置において、前記マスクは、前記レンズブロックの構成部材の一部により、前記反射光が前記レンズに入射する位置の直前に設けられ、長手方向の形状を構成する２つの遮光部と、該遮光部の両端部を結ぶ２つの接続部とからなり、該接続部と、前記レンズブロックを前記レンズブロックステーに取り付けるための取付面との間の最短距離が、前記レンズブロックの成形に必要な所定の肉厚より大きいことを特徴とするスキャナ装置。
【請求項２】
請求項１に記載のスキャナ装置において、前記接続部の少なくとも前記基板取付面に近い側の形状は、前記反射光の端部光束が前記マスク位置を通過する時の光束径をほぼ含み、該光束と同心の円弧で形成されていることを特徴とするスキャナ装置。
【請求項３】
請求項１または２に記載のスキャナ装置において、前記２つの遮光部は前記マスク中心部に対し凸面を向けた円弧で形成されていることを特徴とするスキャナ装置。
【請求項４】
請求項１ないし３のいずれか１つに記載のスキャナ装置において、前記マスクの形状は、該マスクの中心に対して対称形であることを特徴とするスキャナ装置。
【請求項５】
請求項１ないし３のいずれか１つに記載のスキャナ装置において、前記接続部の前記基板取付面から遠い側の形状は、正方形の一部を切り取った形状であることを特徴とするスキャナ装置。  
【請求項６】
請求項１ないし５のいずれか１つに記載のスキャナ装置において、前記基板取付部の、前記接続部に最も近い部分の形状は円弧状に形成されていることを特徴とするスキャナ装置。
【請求項７】
請求項１ないし６のいずれか１つに記載のスキャナ装置において、前記接続部と、前記レンズブロックを前記レンズブロックステーに取り付けるための取付面との間の最短距離が、前記レンズブロックの成形に必要な所定の肉厚の１．５倍以上、好ましくは２倍以上であることを特徴とするスキャナ装置。
【請求項８】
請求項１ないし７のいずれか１つに記載のスキャナ装置において、前記受光素子として、画素ピッチ５μｍ以下のＣＣＤを用いることを特徴とするスキャナ装置。
【請求項９】
請求項１ないし８のいずれか１つに記載のスキャナ装置において、前記受光素子として、ライン間ピッチが４ライン分以上の３ラインカラーＣＣＤを用いることを特徴とするスキャナ装置。
【請求項１０】
請求項１ないし９のいずれか１つに記載のスキャナ装置を用いたことを特徴とする画像形成装置。
【発明の詳細な説明】
【技術分野】
【０００１】
本発明は、複写機、ＦＡＸ、スキャナなどの画像読み取り装置におけるシェーディング補正に関する。
【背景技術】
【０００２】
図１０はシェーディング補正の従来例を説明するための図である。
同図において符号１０１はレンズブロック、１０２は一方向に長いマスク部、１０３はマスク部における原稿中心部から来る中心光束、１０４、１０５はマスク部における原稿端部付近から来る端部光束、ＷＰは薄肉部をそれぞれ示す。
従来、線状に画像を読み取る画像読取装置は、照明する光源の周辺光量の減少と、結像光学系の周辺光量の減少とにより、撮像素子にシェーディング現象と呼ばれる現象を生じるため、原稿から撮像素子に至る光路上に、周辺部より中央部の光量をより多く遮るような、画像の線状方向に長いシェーディング補正用のマスクを挿入し、シェーディング現象を補正している。
マスクの挿入位置は構造上の都合で種々選択されるが、撮像レンズから見て原稿側で、或る程度撮像レンズの近くに置く方が効率がよいので、そのような構成がよく用いられる（例えば、特許文献１  参照。）。この構成では少なくともマスク中心部では、レンズの収差の少ない光軸近傍の光束を使用できるというメリットを有する。
【０００３】
同図は、レンズを取り付けるレンズブロック１０１の構造の一部を、マスク部１０２として構成した例である。説明の便宜上、画像の線状の読み取り領域は水平に設定されているものとする。
マスク部１０２の光束透過部分両端部は周辺光量を十分取り入れるため、端部光束１０４、１０５を遮らない大きさに形成されている。それに対し、マスク部１０２の中心部は補正量に対応させた狭小な光束透過幅が与えられており、中心光束を上下から対称的に遮って通過光量を減少させる。補正量は端部から中心部にかけては連続的なので、幅の変化も連続的になる。したがって、マスク部１０２の上下を形成する遮光部１０２ａの形状は滑らかな曲線になる。
マスク部１０２はレンズブロック１０１の構造体の一部として形成されているので、マスク部１０２を形成する部材もある程度厚さをもった板状部材をくり抜いた形になっている。そのため、作りやすさの面から、上下の遮光部１０２ａを接続する左右の接続部１０２ｂは、端部光束１０４、１０５をほぼ含むような正方形の半分ほどを切り取った形に形成していた。
【０００４】
【特許文献１】特公平８−３１９４０号公報（第１図）
【発明の開示】
【発明が解決しようとする課題】
【０００５】
しかしながら、上記構成において、レンズブロック１０１を取り付けるための基板との関係で、接続部１０２ｂと基板取付面１ａの間の最短距離があまり大きく取れなくなり、薄肉部ＷＰとなってしまう。レンズブロック１０１は樹脂成形で製造するため、この薄肉部のため、レンズユニットの重量との関係で、装置から受ける振動に共振しやすくなり、微小な画素を取り扱う画像読み取り装置としては、画素ズレが発生し、場合によっては原稿の白黒／カラーの識別精度に影響を与え、また、カラーの場合、色ずれ発生などの不具合が発生する。
ブロック状の部品を樹脂成形する場合、部分的に厚いところや、薄いところがあると、成形直後の温度低下時においてそれらの部分に変形が生じてしまうことがある。そのため、製品の形状を精度良く保つため、なるべく均等な肉厚になるよう構成するのが普通である。その肉厚は、部品の強度を保つために、用途に応じて推奨値が定められている。
そのように定められた肉厚を用いて成形されたレンズブロックにおいて、前記のような薄肉部ＷＰが、所定の肉厚より小さくなると、成形上も上記のような問題が発生するので、この部分を少なくとも所定の肉厚より大きくしなければならない。
【課題を解決するための手段】
【０００６】
請求項１に記載の発明では、原稿面を線状に照明する光源と、前記原稿面からの反射光を結像させるレンズと、該結像光を受けて電気信号に変換する受光素子と、前記反射光に対してシェーディング補正をする前記線状方向に長い光透過部を有するマスクと、樹脂成形により形成され前記レンズを固定するレンズブロックと、該レンズブロックを固定するレンズブロックステーとを有するスキャナ装置において、前記マスクは、前記レンズブロックの構成部材の一部により、前記反射光が前記レンズに入射する位置の直前に設けられ、長手方向の形状を構成する２つの遮光部と、該遮光部の両端部を結ぶ２つの接続部とからなり、該接続部と、前記レンズブロックを前記レンズブロックステーに取り付けるための取付面との間の最短距離が、前記レンズブロックの成形に必要な所定の肉厚より大きいことを特徴とする。
請求項２に記載の発明では、請求項１に記載のスキャナ装置において、前記接続部の少なくとも前記基板取付面に近い側の形状は、前記反射光の端部光束が前記マスク位置を通過する時の光束径をほぼ含み、該光束と同心の円弧で形成されていることを特徴とする。
【０００７】
請求項３に記載の発明では、請求項１または２に記載のスキャナ装置において、前記２つの遮光部は前記マスク中心部に対し凸面を向けた円弧で形成されていることを特徴とする。
請求項４に記載の発明では、請求項１ないし３のいずれか１つに記載のスキャナ装置において、前記マスクの形状は、該マスクの中心に対して対称形であることを特徴とする。
【０００８】
請求項５に記載の発明では、請求項１ないし３のいずれか１つに記載のスキャナ装置において、前記接続部の前記基板取付面から遠い側の形状は、正方形の一部を切り取った形状であることを特徴とする。
請求項６に記載の発明では、請求項１ないし５のいずれか１つに記載のスキャナ装置において、前記基板取付部の、前記接続部に最も近い部分の形状は円弧状に形成されていることを特徴とする。
【０００９】
請求項７に記載の発明では、請求項１ないし６のいずれか１つに記載のスキャナ装置において、前記接続部と、前記レンズブロックを前記レンズブロックステーに取り付けるための取付面との間の最短距離が、前記レンズブロックの成形に必要な所定の肉厚の１．５倍以上、好ましくは２倍以上であることを特徴とする。
請求項８に記載の発明では、請求項１ないし７のいずれか１つに記載のスキャナ装置において、前記受光素子として、画素ピッチ５μｍ以下のＣＣＤを用いることを特徴とする。
請求項９に記載の発明では、請求項１ないし８のいずれか１つに記載のスキャナ装置において、前記受光素子として、ライン間ピッチが４ライン分以上の３ラインカラーＣＣＤを用いることを特徴とする。
【００１０】
請求項１０に記載の発明では、請求項１ないし９のいずれか１つに記載のスキャナ装置を用いた画像形成装置を特徴とする。
【発明の効果】
【００１１】
本発明はスキャナ装置において、樹脂成形によるレンズブロックを用い、高解像度のＣＣＤ等による画像読み取りを行った場合にも、機械的振動の共振による画像ズレが発生せず、原稿の識別やカラー画像の色ずれを防ぐことができる。
【発明を実施するための最良の形態】
【００１２】
図１は本発明のスキャナ装置の一実施の形態を示す図である。
図２はスキャナ装置の内部構造を示す水平断面図である。
両図において符号１はスキャナ装置、２はコンタクトガラス、３はスキャナハウジング、４は白色キセノンランプ、５は４５°傾斜の第１ミラー、６は第１キャリッジ、７は第２ミラー、８は第３ミラー、９は第２キャリッジ、１０は駆動モータ、１１は３ライン小画素ＣＣＤ、１２はＳＢＵ（センサボードユニット）、１３はレンズブロック、１４はレンズブロックステー、１５は原稿のサイズを検出する幅センサ、１６は同長さセンサ、１７はレール部材、１８はリフレクタ、２１はタイミングベルト、２２は駆動軸、２３は駆動タイミングプーリ、２４は従動タイミングプーリ、２５ａは駆動伝達タイミングプーリ、２５ｂは減速ギヤ、２５ｃは伝達用タイミングプーリ、２６は駆動タイミングベルト、２７は平プーリ、２８はブラケット、２９は平プーリ、３０は平ベルト、３１は固定部材、３２はスキャン手段をそれぞれ示す。
本発明のスキャナ装置の一実施の形態を図１に基づいて説明する。本実施の形態は,フラットベッドタイプ（原稿固定型）のスキャナ装置への適用例を示す。
【００１３】
まず、スキャナ装置の全体構成を概略的に説明する。スキャナ装置１は、上面に原稿載置用のコンタクトガラス２を備える筐体形状のスキャナハウジング３を有する。スキャナハウジング３内には、ランプとしての白色キセノンランプ（以降、Ｘｅランプという）４、および４５°傾斜の第１ミラー５を搭載する第１キャリッジ６、４５°傾斜で互いの反射面のなす角度が直交して読取り光軸を１８０°反転させる第２、第３ミラー７、８を搭載する第２キャリッジ９が設けられている。原稿面はＸｅランプ４によって、線状に照明され、その照明された領域を撮像素子で読み取る。この線状領域が示す長手方向を主走査方向と呼んでいる。第１、第２キャリッジ６、９は、主走査方向（同図において紙面に対する垂直方向）を長手方向として配設され、副走査方向（同図において左右方向）に沿って２：１の速度比で往復動自在に設けられている。原稿画像の読み取りを待機している場合の第１、第２キャリッジ６、９は、同図中左端部位置のホームポジションに位置付けられている。Ｘｅランプ４、第１ミラー５、第２ミラー７、第３ミラー８は原稿面に沿ってスキャンさせる光学系である。
【００１４】
Ｘｅランプ４は,コンタクトガラス２に対向する位置にスリット（アパーチャ）が形成されるように、光反射面を軸心方向に向けてコンタクトガラス２から離反する側を覆うリフレクタ１８が設けられている。これによって、Ｘｅランプ４が発光する光を有効に利用して、コンタクトガラス２向けて照射する光の利用効率の向上を図ることができる。また、スキャナハウジング３内には,第１，第２キャリッジ６、９を副走査方向に沿って往復動させるためのステッピングモータによる駆動モータ１０、読取素子としての３本のライン状光電変換素子アレイを持つ３ライン小画素ＣＣＤ１１を搭載するＳＢＵ（センサボードユニット）１２、レンズブロック１３を搭載するレンズブロックステー１４等が設けられている。加えて、スキャナハウジング３の底板３ａには,コンタクトガラス２上に載置された原稿のサイズを検出する幅センサ１５及び長さセンサ１６等が設けられている。
【００１５】
図３はスキャナ装置の縦断側面図である。
図４はスキャナハウジング内に設けられた各部を示す斜視図である。
次に、スキャナ装置１が備える各部について説期する。
スキャナハウジング３の副走査方向に沿って立ち上げられた左右一対の側壁３ｂ（図２参照）にはレール部材１７が各々取り付けられている。これらのレール部材１７は断面形状がコの宇形状を有しており、これによって、図３に示すように上下方向で対向するレール１７ａ、１７ｂが２段レール構造として形成されている。以降、上側で対をなすレールを第１キャリッジ６用の第１レール１７ａ、下側で対をなすレールを第２キャリッジ９用の第２レール１７ｂと称して説明する。このように第１、第２キャリッジ６、９の走行摺動面をレール１７ａ、１７ｂとして分けることにより、第１、第２キャリッジ６、９の位置（ホームポジション状態で）を近づけることができ、スキャナ装置１全体の大きさを必要最小限に小さくするのに役立つ。
【００１６】
図２に示すように、スキャナハウジング３の主走査方向に沿って立ち上げられたホームポジション側の壁３ｃには、ホームポジションに位置づけられた第２キャリッジ９の上下方向への移動を規制するためのストッパ１７ｃが、壁３ｃの一部の切り起し片により一体に形成されている。これらのストッパ１７ｃは、第２キャリッジ９のミラーステー９ａ（後述）に形成された、Ｌ字状腕部９ｃ（図５参照）に対応する位置に形成されている。第１キャリッジ６の下面四隅には、スライダ（図示せず）が設けられており、これらの４つのスライダを第１レール１７ａの上面に当接させることで、副走査方向に沿って往復動自在とされている。第１キャリッジ６の下面両端部には、スキャナハウジング３内のほぼ全長に亘り、副走査方向に沿って延出するエンドレスタイプのタイミングベルト２１が各々配設されている。タイミングベルト２１の一部は、後述する平ベルト３０の一部とともに、ベルトクランプ６ａ（図３参照）によって、第１キャリッジ６の端部側下面に係止されている。また、第１キャリッジ６は、平ベルト３０を介して第２キャリッジ９を走査方向に引っ張っている。
【００１７】
各タイミングベルト２１の一端側は、主走査方向に沿って延出する駆動軸２２の両端部に各々固定された、駆動タイミングプーリ２３に架け渡されている。各タイミングベルト２１の他端側は、スキャナハウジング３に取り付けられた、従動タイミングプーリ２４に架け渡されている。従動タイミングプーリ２４は、従動タイミングブーリ２４とスキャナハウジング３との間に架け渡された、図示しない引っ張りスプリングによって、駆動タイミングプーリ２３から離反する方向へ付勢されている。これにより、各タイミングベルト２１に対して、副走査方向にテンションが加えられる。
駆動軸２２の一端には、駆動伝達タイミングプーリ２５ａが取り付けられている。上述の駆動モータ１０は、駆動伝達タイミングプーリ２５ａの側方に配設されている。図３に示すように、駆動モータ１０の駆動軸１０ａ上にはハスバギヤ１０ｂが固定され、減速ギヤ２５ｂと噛み合い回転する。減速ギヤ２５ｂには同軸上に位置させて伝達用タイミングブーリ２５ｃが設けられ、この伝達用タイミングプーリ２５ｃと駆動伝達タイミングプーリ２５ａとの間にはエンドレスタイプの駆動タイミングベルト２６が架け渡されている。これにより駆動モータ１０の駆動力が駆動軸２２を介して駆動タイミングプーリ２３に伝達される。なお、駆動モータ１０の後ろ側には回転の安定化を図って鉄製の円盤が駆動軸１０ａに固定されている。ハスバギヤ１０ｂ側には騒動モータ１０とモータブラケットの間に防振用のゴムダンバーが配されている。モータブラケットは前述した駆動タイミングベルト２６の張力を調整するためにスライド可能になっており、スプリングにより所定のテンションが掛けられた後、ネジ止めされる。
【００１８】
第２キャリッジ９は、第２、第３ミラー７、８の両端を支持する一対のミラーステー９ａと、ミラーステー９ａの両外側から第１キャリッジ６側へ向けて延出するアーム９ｂとを有している。このアーム９ｂの延出長さは、第２キャリッジ９の副走査方向への移動量相当の長さとされている。したがって、本実施の形態の第２キャリッジ９は平面的に見て略コ字状とされている。このような第２キャリッジ９において、ミラーステー９ａの外側には、ミラーステー９ａの面方向に沿って回転自在な平プーリ２７が設けられ、アーム９ｂの先端部には平プーリ２７と対をなす平プーリ２９を回転自在に保持するブラケット２８が取り付けられており、これらの平プーリ２７、２９間には平ベルト３０が架け渡されている。この際、平面的に見て平ベルト３０がタイミングベルト２１と少し離れて平行となるように平プーリ２７、２９等が配設されている。また、平プーリ２９を支持するブラケット２８はアーム９ｂに対してスライド可能であり,スプリング（図示せず）より所定のテンションをもって取り付けられている。すなわち、平ベルト３０に関しては、タイミングベルト２１のように駆動力を伝達する必要がないため、基本的には、平プーリ２７、２９間で弛みがなければ張力を必要としないが、組立時に弛みが生じないようにするため、数百ｇｒ程度の弱いテンションを掛けているものである。このようにテンションが弱いため、主軸受けを用いなくても平プーリ２７、２９とこれらの平プーリ２７、２９を回転支持している軸（駆動軸２２等）との回転負荷は非常に小さい。
【００１９】
第２キャリッジ９は、各々のアーム９ｂをタイミングベルト２１の内周側に位置させるようにして配設されている。このとき、一対の平ベルト３０は、主走査方向において、一対のタイミングベルト２１の内側に位置付けられる。
各平ベルト３０の一部は、スキャナハウジング３の底板３ａに固定された固定部材３１に係止させることにより位置固定されている。この固定部材３１による平ベルト３０の固定位置は、ベルトクランプ６ａによる第１キャリッジ６の平ベルト３０に対する係止位置に対して略半周異なる位置となるように設定されている。このように平ベルト３０の一部が固定部材３１により位置固定されているため、ベルトクランブ６ａによる係止位置でタイミングベルト２１に追従させて平ベルト３０を移動させても平ベルト３０白身は回転することなく動滑車の原理に従い平プーリ２７、２９とともに副走査方向に移動することとなる。従って、これらの平プーリ２７、２９及び平ベルト３０を支持する第２キャリッジ９も副走査方向に移動することとなる。
【００２０】
光学系としてのＸｅランプ４、第１ミラー５、第２ミラー７、第３ミラー８を原稿面に沿ってスキャンさせるスキャン手段３２は、Ｘｅランプ４と第１ミラー５とが搭載された第１キャリッジ６、第２ミラー７と第３ミラー８とが搭載された第２キャリッジ９、これらのキャリッジ６、９を摺動自在に支持するレール１７、駆動モータ１０により駆動されるタイミングベルト２１及び平ベルト３０、固定部材３１により構成されている。
このようなスキャナ装置１において、原稿画像の読み取りに際しては、駆動モータ１０を駆動して第１、第２キャリッジ６、９を２：１の速度比で往復動させ、Ｘｅランプ４を点灯することで原稿画像を露光走査する。これにより、Ｘｅランプ４から発光された光が、コンタクトガラス２を介して原稿面で反射されて第１ミラー５に到達した後、第２、第３ミラー７、８で順次反射されて、レンズブロック１３を介して、ＣＣＤ１１に集光されて原稿画像の読み取りが行われる。
【００２１】
図５はレンズブロックの実施形態の構成を示す図である。
同図において符号２０１はレンズブロック、２０２はマスク部、２０６はレンズ、２０７はレンズ押さえ、２０８はレンズブロックステー、２０９はＳＢＵをそれぞれ示す。
レンズ２０６は小画素カラーＣＣＤ（図示せず）に合わせて小径のレンズで構成され、レンズブロック２０１内に配置され、レンズ押さえ２０７で固定されている。小画素カラーＣＣＤは３ラインの光電変換素子アレイ（例えば素子間隔は４．７μｍ）が４〜８ライン（例えば間隔１８．８μｍ〜３７．６μｍ）間隔で配置されたＣＣＤで色フィルターによりＲＧＢの各色画像を読み込むことが出来る。レンズブロック２０１は装置全体を小型化するためにレンズブロックステー２０８の中央部分を切り欠いて潜り込むように配置されている。この時レンズ２０６に入射する光束はレンズブロックステー２０８の上側極近傍を通るように配置されている。ＳＢＵ２０９はレンズブロック２０１の一端側に透明樹脂部材を介して接着固定されている。レンズ２０６のＳＢＵ２０９と反対側には、レンズブロック２０１と一体的に形成されたマスク部２０２が構成されている。これはレンズ収差による光量不均衡（中心光量に比べて周辺光量／端部光量が少なくなる現象）を緩和するために光束を中心部付近で遮光する為に設けられている。これによりＣＣＤに結像される反射光光量は略均一に補正される。
【００２２】
図６は本発明のマスク部を説明するための図である。
マスク部は、従来技術を示す図１０に示したように、遮光を司る上下の遮光部２０２ａは、光学系のシェーディング特性に合わせて形状が定まるので、本実施例でも同じ形状を用いるが、上下の遮光部を結ぶ接続部２０２ｂに関しては、薄肉部を形成させないように、端部光束をほぼ含み、端部光束と同心の円弧によって形成している。
本発明では従来技術の不具合に鑑みて、薄肉部の発生しない構成を提供し上記不具合を解消するものである。図６に示すように接続部２０２ｂの形状を、端部光束の円に沿う様な凹面円弧で構成し、且つ端部光束を遮光しない位置に配置している。上下遮光部２０２ａはＣＣＤ上に結像する反射光が略均一な光量になるように計算された凸面曲線で構成されている。光軸中心に対して左右の接続部２０２ｂは左右対称に配置され、上下遮光部２０２ａは上下対称に配置されている。これにより図１０に於いてウィークポイントとなっていた薄肉部分は無くなり、十分な肉厚を確保でき強度不足を解消できる。これにより機械振動に対して強固となり、特に小画素（４．７μｍピッチ等、５μｍ以下のピッチ）ＣＣＤを搭載する小型装置においては、画素ズレなどの不具合も発生しなくなる。またこの画素ズレが発生しなくなれば原稿の白黒原稿／カラー原稿の識別精度も飛躍的に向上し、識別不良も発生しなくなる、更にカラー読取におけるにじみ画像／黒線の色付き等の発生も解消される。また、これを３ラインカラーＣＣＤを搭載したカラースキャナに応用した場合は、各ライン間隔が現状の４ラインより増えた場合にも上記以上の効果が期待できる。
上下遮光部の曲線は、曲率の変化が極端でなければ円弧で近似させることもできる。
【００２３】
図７は本発明の他の実施形態を説明するための図である。
本実施形態は、従来技術の構成に対し、強度上問題の生ずるところだけを変えた構成である。
マスク部２０２の接続部２０２ｂ’は、レンズブロック２０１下部の基板取付部２０１ａに近い部分が薄肉にならなければよいので、接続部２０２ｂ’下側のみ円弧状に形成し、上部は図１０に示した正方形の一部の形状のままにしておく。このような形状にしてもシェーディング補正機能に影響はない。しかも、薄肉部が解消されているので、振動に対する共振の心配もなくなっている。
【００２４】
図８は本発明のさらに他の実施形態を説明するための図である。
本実施形態は、マスク形状を従来技術のままにし、レンズブロック２０１の、レンズブロックステー２０８に取り付ける部分、すなわち、基板取付部２０１ａの形状を一部変えて２０１ａ’とした構成である。
図６、７の基板取付部２０１ａの水平左右方向は、一端が開放端になっており、他端はほぼ垂直に下がるほぼ直角のコーナー部を有している。このコーナー部が、マスクの接続部２０２ｂに最も近くなる位置なので、本実施形態では基板取付部２０１ａ’として、上記コーナー部を端部光束径１０４、１０５とほぼ同径の円弧に形成している。
この構成によっても問題となる薄肉部は解消できている。ただし円弧の径は端部光束径１０４、１０５と必ずしも同径でなくとも構わない。要は薄肉部の解消を目的としているので、樹脂成形に必要な所定の厚さより大きければ良い。安全のためには、該所定の厚さの１．５倍ないし２倍程度にしておくのがよい。
なお、材料力学的に見ると、重量のかかっている直角のコーナー部に振動がかかると応力集中がおきやすく、長期間使用すると、疲労破壊などがおきやすくなるので、そのような構成は避ける方がよい。その意味では、本実施形態において、さらに、マスク部形状を図６に示した曲線の組み合わせにすればなお安全である。
【００２５】
次に、本発明の複写機の一実施の形態を図に基づいて説明する。
図９は本発明の実施形態に係るフルカラー画像形成装置の概略構成を示す断面図である。
同図において符号３１０は作像装置、３１２は感光体ドラム１２、３１３は帯電装置、３１４はクリーニング装置、３１５は現像装置、３２０は光学ユニット、３３０は中間転写体ユニット、３３１は転写ベルト、３２、３３、３４は転写ベルトの支持ローラ、３３５は一次転写ローラ、３３６は二次転写ローラ、３４０は給紙ユニット、３４１は給紙カセット、３４２は手差し給紙トレイ、３４３は給紙コロ、３４４は搬送ローラ、３５０は定着ユニット、３５１は定着ローラ、３５２は加圧ローラ、３５５は排紙ローラ、３５６は排紙トレイをそれぞれ示す。
同図に示すように、本実施例に係るフルカラー画像形成装置は、像担持体ユニットであるところの４色分の作像装置３１０Ｙ（イエロー）、３１０Ｃ（シアン）、３１０Ｍ（マゼンダ）、３１０Ｋ（黒）が対応する画像形成ステーションに着脱自在になっており、レーザー光を照射可能な露光手段としての光学ユニット３２０、中間転写体ユニット３３０，給紙ユニット３４０、及び定着ユニット３５０等を備えている。
【００２６】
各作像装置３１０Ｙ、３１０Ｃ、３１０Ｍ、３１０Ｋの構造は同一であり、それぞれ像担持体としての感光体ドラム３１２、これに作用するプロセス手段として、感光体ドラムを帯電する帯電装置３１３，感光体ドラムに残留した現像剤等を除去するクリーニング装置３１４が一体的に構成されており、これに感光体ドラムに形成された潜像を現像する現像装置３１５が連結する構成になっている。また、各作像装置は、後述するホルダー部材の開閉方向に（感光体の回転軸方向）に画像形成装置本体に対して着脱自在な構成になっている。
中間転写体ユニット３３０は、転写媒体（中間転写体）としての転写ベルト３３１，該転写ベルト３３１を回転可能に支持する３つのローラ３３２，３３３，３３４、各感光体ドラム３１２に形成されたトナー像を転写ベルト３３１に転写する一次転写ローラ３３５，及び転写ベルト３３１上に転写されたトナー像を更に記録紙Ｐに転写する二次転写ローラ３３６を備えている。
【００２７】
給紙ユニット３４０は、給紙カセット３４１或いは手差し給紙トレイ３４２から記録紙Ｐを二次転写領域に搬送する給紙ローラ３４３，レジストローラ３４４等を備えている。
定着ユニット３５０は、定着ローラ３５１及び加圧ローラ３５２を備え、記録紙Ｐ上のトナー像に熱と圧を加えることで定着を行う。
上記構成において、まず１色目、イエローの作像装置３１０Ｙにおいて、感光体ドラム３１２が帯電装置３１３によって一様に帯電された後、光学ユニット３２０から照射されたレーザー光によって潜像が現像装置３１４によって現像されてトナー像が形成される。
感光体ドラム３１２上に形成されたトナー像は、一次転写ローラ３３５の作用によって転写ベルト３３１上に転写される。一次転写が終了した感光体ドラム３１２はクリーニング装置３１４によってクリーニングされ、次の画像形成に備える。クリーニング装置３１４によって回収された残留トナーは、作像装置の取り出し方向（感光体ドラムの回転軸方向）に設置された廃トナー回収ボトル３１６に貯蔵される。廃トナー回収ボトル３１６が満杯になると交換できるように画像形成装置本体に対し着脱自在になっている。
同様の画像形成工程がＣ、Ｍ、Ｋ用の各作像装置３１０Ｃ、３１０Ｍ、３１０Ｋにおいても行われて各色のトナー像が形成され、先に形成されたトナー像に順次重ねて転写される。
【００２８】
一方記録紙Ｐが給紙カセット３４１，又は手差し給紙トレイ３４２によって二次転写領域に搬送され、二次転写ローラ３３６の作用によって転写ベルト３３１上に形成されたトナー像が前記記録紙Ｐに転写される。トナー像を転写された記録紙Ｐは定着ユニット３５０に搬送され、該定着ユニット３５０の定着ローラ３５１と加圧ローラ３５２のニップ部にてトナー像が定着され、排紙ローラ３５５によって排紙トレイ３５６に排紙される。
なお、これらの実施の形態では、スキャナ装置１としてＣＣＤ１１を備えるデジタルカラースキャナへの適用例を示したが、例えば,モノクロスキャナ／モノクロ複写機等にも適用可能である。
【図面の簡単な説明】
【００２９】
【図１】本発明のスキャナ装置の一実施の形態を示す図である。
【図２】スキャナ装置の内部構造を示す水平断面図である。
【図３】スキャナ装置の縦断側面図である。
【図４】スキャナハウジング内に設けられた各部を示す斜視図である。
【図５】レンズブロックの実施形態構成を示す図である。
【図６】本発明のマスク部を説明するための図である。
【図７】本発明の他の実施形態を説明するための図である。
【図８】本発明のさらに他の実施形態を説明するための図である。
【図９】本発明の実施形態に係るフルカラー画像形成装置の概略構成を示す断面図である。
【図１０】シェーディング補正の従来例を説明するための図である。
【符号の説明】
【００３０】
２０１      レンズブロック
２０２      マスク部
２０６      レンズ
２０８      レンズブロックステー
２０９      ＳＢＵ
【図１】
2005323053.tif 000003
【図２】
2005323053.tif 000004
【図３】
2005323053.tif 000005
【図４】
2005323053.tif 000006
【図５】
2005323053.tif 000007
【図６】
2005323053.tif 000008
【図７】
2005323053.tif 000009
【図８】
2005323053.tif 000010
【図９】
2005323053.tif 000011
【図１０】
2005323053.tif 000012